(57)【要約】【課題】ポインタを用いた操作を可能としつつ表示中の画面のスクロールを容易に行うことを可能とする。【解決手段】電子機器１は、表面および背面にタッチセンサを有し、背面タッチセンサ１３のスライド操作を検出すると表示中の画面をスクロールさせるスクロールモードと、背面タッチセンサ１３の操作を検出すると表示中のポインタを移動させるポインタモードとの２つの制御モードを有し、スクロールモード中に背面タッチセンサ１３の切替え操作を検出するとスクロールモードからポインタモードへ制御モードを切り替える制御部１４を備える。【選択図】図１
2015106165.tif 000002
【特許請求の範囲】
【請求項１】
表面および背面にタッチセンサを有する電子機器であって、
背面のタッチセンサのスライド操作を検出すると表示中の画面をスクロールさせるスクロールモードと、前記背面のタッチセンサの操作を検出すると表示中のポインタを移動させるポインタモードとの２つの制御モードを有し、前記スクロールモード中に前記背面のタッチセンサの切替え操作を検出すると前記スクロールモードから前記ポインタモードへ制御モードを切り替える制御部
を備えることを特徴とする電子機器。
【請求項２】
前記制御部は、前記スクロールモードから前記ポインタモードへ制御モードを切り替えた後に、所定の復帰条件が成立したことを検出すると、前記ポインタモードから前記スクロールモードへ制御モードを切り替えることを特徴とする、請求項１に記載の電子機器。
【請求項３】
前記背面のタッチセンサに対する押圧を検出する押圧検出部をさらに備え、
前記制御部は、前記押圧検出部により検出される押圧に基づくデータが所定の基準を満たすと、前記スクロールモードから前記ポインタモードへ制御モードを切り替えることを特徴とする、請求項１または２に記載の電子機器。
【発明の詳細な説明】
【技術分野】
【０００１】
本発明は、表面および背面にタッチセンサを有する電子機器に関する。
【背景技術】
【０００２】
近年、ユーザによる接触を検知するタッチセンサを備えた携帯電話等の電子機器が増加している。接触の検出方式は、抵抗膜方式、静電容量方式等、種々の検出方式が知られており、いずれの方式もユーザの指やスタイラスペン等による接触物の接触を検出する。
【０００３】
また、表面に加え、背面にもタッチセンサを有する電子機器が知られている。例えば、特許文献１には、表面および背面にそれぞれ２つのタッチセンサを備え、使用状態に対応付けられた所定の対応関係に基づいて、第１背面または第２背面に対する入力を、第１表面または第２表面に対する入力として受け付けることにより、利便性を高めることが可能な携帯端末が記載されている。
【先行技術文献】
【特許文献】
【０００４】
【特許文献１】特開２０１２−２３０５６７号公報
【発明の概要】
【発明が解決しようとする課題】
【０００５】
背面にタッチセンサを有する電子機器では、背面のタッチセンサを用いてその操作を行う場合、表示画面と操作部分とが異なる面となるため、背面のタッチセンサの操作により表示画面中のどの部分が選択されているのかを示すポインタを画面中に表示する必要がある。
【０００６】
しかし、ポインタを用いた操作では、例えば表示中の画面をスクロールさせたい場合、背面のタッチセンサの操作によりポインタを画面縁部に表示されたスクロールバー上にまで移動させてからタップ等する必要があり、画面をスクロールさせる操作が煩雑になるという問題があった。
【０００７】
かかる事情に鑑みてなされた本発明の目的は、ポインタを用いた操作を可能としつつ表示中の画面のスクロールを容易に行うことが可能な電子機器を提供することにある。
【課題を解決するための手段】
【０００８】
上記課題を解決するため、本発明に係る電子機器は、表面および背面にタッチセンサを有する電子機器であって、背面のタッチセンサのスライド操作を検出すると表示中の画面をスクロールさせるスクロールモードと、前記背面のタッチセンサの操作を検出すると表示中のポインタを移動させるポインタモードとの２つの制御モードを有し、前記スクロールモード中に前記背面のタッチセンサの切替え操作を検出すると前記スクロールモードから前記ポインタモードへ制御モードを切り替える制御部を備えることを特徴とする。
【０００９】
また、本発明に係る電子機器において、前記制御部は、前記スクロールモードから前記ポインタモードへ制御モードを切り替えた後に、所定の復帰条件が成立したことを検出すると、前記ポインタモードから前記スクロールモードへ制御モードを切り替えることを特徴とする。
【００１０】
さらに、本発明に係る電子機器は、前記背面のタッチセンサに対する押圧を検出する押圧検出部をさらに備え、前記制御部は、前記押圧検出部により検出される押圧に基づくデータが所定の基準を満たすと、前記スクロールモードから前記ポインタモードへ制御モードを切り替えることを特徴とする。
【発明の効果】
【００１１】
本発明によれば、ポインタを用いた操作を可能としつつ表示中の画面のスクロールを容易に行うことができるようになる。
【図面の簡単な説明】
【００１２】
【図１】本発明の第１の実施形態に係る電子機器の概略構成を示すブロック図である。
【図２】本発明の第１の実施形態に係る電子機器の実装構造の一例を示す図である。
【図３】ユーザが電子機器を右手で保持した状態を示す図である。
【図４】本発明の第１の実施形態に係る電子機器の処理を示すフローチャートである。
【図５】本発明の第１の実施形態に係る電子機器をスクロールモードで操作する様子を示す図である。
【図６】本発明の第１の実施形態に係る電子機器をポインタモードで操作する様子を示す図である。
【図７】本発明の第２の実施形態に係る電子機器の概略構成を示すブロック図である。
【図８】本発明の第２の実施形態に係る電子機器の実装構造の一例を示す図である。
【図９】本発明の第２の実施形態に係る電子機器の処理を示すフローチャートである。
【図１０】本発明の第３の実施形態に係る電子機器の概略構成を示すブロック図である。
【発明を実施するための形態】
【００１３】
以下、本発明の実施形態について、図面を参照して詳細に説明する。
【００１４】
［第１の実施形態］
図１は、第１の実施形態に係る電子機器の概略構成を示すブロック図である。図１に示す例では、電子機器１は、表示部１１と、表面タッチセンサ１２と、背面タッチセンサ１３と、制御部１４と、記憶部１５と、通信部１６と、マイク１７と、スピーカ１８とを備える。
【００１５】
表示部１１は、文字、写真、操作用オブジェクト、ブラウザの画面、ポインタ等の画像を表示する。表示部１１は、液晶パネル（ＬＣＤ：Liquid Crystal Display）や有機ＥＬパネル（ＯＥＬＤ：Organic Electroluminescence Display）等を用いて構成される。例えばホーム画面では、表示部１１は、電話、メール、インターネット通信、カメラ撮影等の各操作を行うための操作用オブジェクトを表示させる。また、表示部１１は、例えばブラウザの画面に表示されるサイトの画面等、表示部１１に収まりきらない画面の一部を、例えば縦方向および／または横方向にスクロール可能に表示することができる。
【００１６】
表面タッチセンサ１２は、表面タッチセンサ１２の入力面において、指の接触または接触の解除を検出する。そして、表面タッチセンサ１２は、入力面に対する接触位置を検出し、検出した接触位置を示す信号を制御部１４へ出力する。表面タッチセンサ１２は透明な部材で構成され、表示部１１の前面に重畳配置される。ユーザは透明の表面タッチセンサ１２を介して表示部１１の画像を視認し、表示部１１が表示する操作用オブジェクトの表示位置の表面タッチセンサ１２を操作することにより、電子機器１に所定の処理を実行させる。
【００１７】
背面タッチセンサ１３は、片手で電子機器１を操作する際の操作性を向上させるために電子機器１の背面に配置され、背面タッチセンサ１３の入力面において、指による接触または接触の解除を検出する。そして、背面タッチセンサ１３は、入力面に対する接触位置を検出し、検出した接触位置を示す信号を制御部１４へ出力する。
【００１８】
表面タッチセンサ１２および背面タッチセンサ１３は、例えば、抵抗膜方式、静電容量方式等の周知の方式で実現される。
【００１９】
制御部１４は、表面タッチセンサ１２から入力される信号により表面タッチセンサ１２の操作を検出すると、その操作に応じた制御を行う。例えば制御部１４は、表示部１１に表示する操作用オブジェクトの表示位置の表面タッチセンサ１２が操作されると、その接触位置に表示されている操作用オブジェクトに応じた制御を行う。
【００２０】
また、制御部１４は、背面タッチセンサ１３から入力される信号により背面タッチセンサ１３の操作を検出すると、その操作に応じた制御を行う。制御部１４は、その制御モードとしてスクロールモードとポインタモードとを有し、背面タッチセンサ１３の操作に応じてスクロールモードまたはポインタモードで制御を行う。
【００２１】
通常状態（初期状態）では、制御部１４は、その制御モードをスクロールモードに設定する。スクロールモードにおいては、制御部１４は、背面タッチセンサ１３のスライド操作を検出すると、表示部１１に表示中の画面をそのスライド操作の方向にスクロールさせる制御を行う。
【００２２】
また、制御部１４は、スクロールモード中に背面タッチセンサ１３の切替え操作を検出すると、スクロールモードからポインタモードへ制御モードを切り替える。ポインタモードにおいては、表示部１１の画面中にポインタが表示され、制御部１４は、背面タッチセンサ１３の操作を検出するとポインタをその操作方向に移動させる制御を行う。ポインタは、背面タッチセンサ１３による操作が表示部１１に表示された画面中のどの部分を選択しているかを示す。
【００２３】
制御部１４は、スクロールモードからポインタモードへ制御モードを切り替えた後に、所定の復帰条件が成立したことを検出すると、ポインタモードからスクロールモードへ制御モードを切り替える。
【００２４】
ここで、タッチセンサ１２、１３の操作とは、タッチ、タップ、ダブルタップ、スライド、ドラッグ、フリック、タッチアンドホールド、ピンチイン／ピンチアウト等の、指をタッチセンサ１２、１３に接触させるあらゆる操作をいう。なお、タッチとは指を押し付ける操作、タップとは指で軽く触れる操作、ダブルタップは２回続けてタップする操作、スライドはタッチセンサ１２、１３上のある位置から他の位置に向けて指で触れたままなぞる操作、ドラッグは指で触れたままなぞり離す操作、フリックは指で軽くはじく操作、タッチアンドホールドはタッチしたままにする操作、ピンチイン／ピンチアウトは２本の指で摘んだり広げたりする操作のことである。
【００２５】
記憶部１５は、半導体メモリ等で構成することができ、各種情報や電子機器１を動作させるためのプログラム等を記憶するとともに、ワークメモリとしても機能する。
【００２６】
通信部１６は、基地局または他の通信機器と無線により通信することを可能にする。
【００２７】
マイク１７は、ユーザの発話等の周囲の音を集音する。マイク１７が集音した音は、電気信号に変換して制御部１４に送られる。
【００２８】
スピーカ１８は、音声、音楽、着信音等の音を出力する。
【００２９】
図２は、第１の実施形態に係る電子機器１の実装構造の一例を示す図である。図２（ａ）は正面図であり、図２（ｂ）は図２（ａ）におけるＡ−Ａ線に沿った断面図であり、図２（ｃ）は背面図である。
【００３０】
なお、図２においては、筐体１０、表示部１１、表面タッチセンサ１２、背面タッチセンサ１３、および接合部材４０以外の要素の図示は省略している。電子機器１は、図２に示した以外にも、制御部１４を備えるとともに、例えば、基板、各種部品等の要素を備えることができる。また、典型的にはマイク１７は表面タッチセンサ１２の下部に配置され、スピーカ１８は表面タッチセンサ１２の上部に配置される。
【００３１】
図２に示すように、表面タッチセンサ１２は筐体１０（例えば、金属や樹脂のケース）の表面１０ａに配置され、筐体１０に支持される。
【００３２】
表示部１１は、筐体１０の内部に配置される。例えば、表示部１１を表面タッチセンサ１２の裏面に接着してもよいし、筐体1０の内部に直接固定するか、筐体１０の内部配置される基板または表示部用ホルダ等に固定してもよい。図２では、表示部１１は、接合部材４０を介して表面タッチセンサ１２に接着されている。図２（ｂ）に示すように、表示部１１を、表面タッチセンサ１２の裏面側に配置すれば、表面タッチセンサ１２および表示部１１によりタッチパネルを構成する際に、表示部１１に自由なユーザインタフェースを表示して、ユーザの操作を表面タッチセンサ１２により検出することができる。なお、接合部材４０は、熱硬化性あるいは紫外線硬化性等を有する接着剤や両面テープ等であり、例えば無色透明のアクリル系紫外線硬化型接着剤である光学弾性樹脂でもよい。
【００３３】
背面タッチセンサ１３は、電子機器１を片手で保持した際に、人差し指で接触可能な範囲を含むように、筐体１０の背面１０ｂに配置され、筐体１０に支持される。例えば、図２（ｂ）（ｃ）に示すように、背面タッチセンサ１３は筐体１０の背面１０ｂの上部に配置される。
【００３４】
図３は、ユーザが電子機器１を右手で保持した状態を示す図である。図３（ａ）は表面側から見た図であり、図３（ｂ）は背面側から見た図である。図３（ｂ）に示すように電子機器１を右手で保持すると、人差し指は背面タッチセンサ１３上に位置する。よって、ユーザは人差し指を折り曲げたり左右に動かしたりするだけで他の指は動かすことなく容易に背面タッチセンサ１３を操作（タッチ、タップ、ダブルタップ、ドラッグ、フリック、タッチアンドホールド等）することができる。なお、本実施形態では、背面タッチセンサ１３を人差し指が接触可能な位置に限定して配置しているが、より広範囲にわたって配置させてもよい。
【００３５】
次に、本発明に係る電子機器１による処理を説明する。図４は、第１の実施形態に係る電子機器１の処理を示すフローチャートである。
【００３６】
制御部１４は、表面タッチセンサ１２から入力される信号により表面タッチセンサ１２の所定の操作を検出すると（ステップＳ１０１−Ｙｅｓ）、接触位置に表示されている操作用オブジェクトに応じた制御を行う（ステップＳ１０２）。例えば、表示部１１がインターネット接続を開始させるためのブラウザアイコンを表示している場合に、表面タッチセンサ１２によりブラウザアイコンの表示位置におけるタップを検出すると、通信部１６によりインターネット接続を開始させ、所定のＵＲＬにアクセスし、表示部１１に表示されたブラウザ画面に取得したサイト画面を表示させる。ステップＳ１０２による処理が、電子機器１のブラウザを終了させる処理であった場合には（ステップＳ１０３−Ｙｅｓ）、処理を終了して、例えば表示部１１にホーム画面（待ち受け画面）を表示させる。
【００３７】
また、制御部１４は、背面タッチセンサ１３から入力される信号により背面タッチセンサ１３が操作されたことを検出すると（ステップＳ１０４−Ｙｅｓ）、表示部１１に表示中の画面（画像）に対して所定の処理を行う（ステップＳ１０５）。ステップＳ１０５の制御の具体例について、以下に説明する。
【００３８】
図５は電子機器１をスクロールモードで操作する様子を示す図であり、図６は電子機器１をポインタモードで操作する様子を示す図である。本発明に係る電子機器１では、制御部１４はスクロールモードとポインタモードの２つの制御モードを有し、この制御モードを適宜切り替えることで、ポインタを用いた電子機器１の操作を可能としつつ表示部１１に表示中の画面を容易にスクロールさせることを可能とする。
【００３９】
通常状態においては、制御部１４は制御モードをスクロールモードに設定している。スクロールモードにおいては、制御部１４は背面タッチセンサ１３がスライド操作されたことを検出すると、表示部１１に表示中の画面を縦方向および／または横方向にスクロールさせる制御を行う。例えば、背面タッチセンサ１３が縦方向にスライド操作されると、制御部１４は表示部１１に表示中の画面を縦方向にスクロールさせる制御を行う。また、背面タッチセンサ１３が横方向にスライド操作されると、制御部１４は表示部１１に表示中の画面を横方向にスクロールさせる制御を行う。なお、表示部１１に表示される画面は、縦方向または横方向の何れか一方のみにスクロール可能なものであってもよい。この場合、制御部１４は背面タッチセンサ１３がそのスクロール可能な方向にスライド操作されたことを検出したときに、当該方向に画面をスクロールさせる。
【００４０】
表示部１１は、この電子機器１がインターネットに接続されたときには、ブラウザにより開かれたあるサイト画面の一部を表示することができる。この場合、ユーザは、図５（ａ）に示すように、スクロールモードにおいて背面タッチセンサ１３をスライド操作することにより、図５（ｂ）に示すように、表示部１１に表示中のサイト画面をスクロールさせて当該サイト画面の所望の部分を表示部１１に表示させることができる。したがって、この電子機器１では、ユーザは、表面タッチセンサ１２を操作することなく、またポインタを用いた操作を行うことなく、背面タッチセンサ１３を縦方向または横方向にスライド操作するだけの簡単な操作で表示部１１に表示中の画面を容易にスクロールさせることができる。
【００４１】
一方、制御部１４は、スクロールモード中に背面タッチセンサ１３の切替え操作を検出すると、その制御モードをスクロールモードからポインタモードへ切り替える。例えば制御部１４は、スクロールモード中に背面タッチセンサ１３がタップされたことを検出すると、このタップを切替え操作と判断して、スクロールモードからポインタモードへ制御モードを切り替える。なお、制御モードを切り替えるトリガーとなる切替え操作は、上記したタップに限らず、例えばダブルタップ等の他の操作とすることもできる。また、ユーザは、背面タッチセンサ１３に対して細かい操作を行う際に指を立てる場合が多いことを鑑み、制御部１４は、背面タッチセンサ１３に対する指の接触面積が所定面積以下にまで縮小したことを検出したときに、これを切替え操作として判断して、スクロールモードからポインタモードへ制御モードを切り替える構成とすることもできる。
【００４２】
背面タッチセンサ１３がタップ（切替え操作）されて制御モードがスクロールモードからポインタモードへ切り替えられると、表示部１１に表示された画面中に背面タッチセンサ１３による操作が表示中の画面のどの部分を選択しているかを示すポインタＰが表示される。そして、制御部１４は、図６（ａ）に示すように、ポインタモードにおいて背面タッチセンサ１３の操作を検出すると、図６（ｂ）に示すように、画面中のポインタをその操作方向に移動させる制御を行う。したがって、この電子機器１では、ユーザは、表面タッチセンサ１２を操作することなく、背面タッチセンサ１３を操作することにより表示部１１に表示された画面中のポインタを任意の位置に移動させて操作用オブジェクトの選択等の種々の操作を行うことができる。
【００４３】
このように、本発明の電子機器１では、ユーザにより背面タッチセンサ１３が操作された場合、通常状態では画面のスクロール（スライド）を行い、背面タッチセンサ１３が切替え操作された後はポインタＰによる操作を行うようにしたので、ポインタを用いた操作を可能としつつ表示中の画面のスクロールを容易に行うことが可能となる。
【００４４】
スクロールモードからポインタモードへ制御モードを切り替えた後に、所定の復帰条件が満たされたことを検出すると、制御部１４はポインタモードからスクロールモードへ制御モードを切り替え、その制御モードをスクロールモードに復帰させる。例えば制御部１４は、スクロールモードからポインタモードへ制御モードを切り替えた後、その切り替え時から所定時間が経過したことを検出すると、復帰条件が満たされたと判断してポインタモードからスクロールモードへ制御モードを切り替える（タイムアウト制御）。なお、制御モードをポインタモードからスクロールモードへ復帰させる復帰条件は、上記した所定時間が経過したことに限らず、例えば切替え操作と同一の操作の再実行されたことを検出したとき、またはポインタモードでの背面タッチセンサ１３の操作が終了して背面タッチセンサ１３から指が離されたことを検出したとき、または離されてから所定時間が経過したときなど、他の動作等とすることもできる。このような制御により、通常状態では常に制御部１４の制御モードがスクロールモードに設定されるので、背面タッチセンサ１３を用いた画面のスクロールを必要なときに直ぐに行うことが可能となる。また、初期状態をポインタモードにしてもよい。
【００４５】
［第２の実施形態］
次に、本発明の第２の実施形態について説明する。図７は、本発明の第２の実施形態に係る電子機器の概略構成を示すブロック図である。第２の実施形態に係る電子機器２は、第１の実施形態に係る電子機器１と比較して、更に押圧検出部２０を備える。その他の構成については第１の実施形態と同一であるため、同一の参照番号を付して説明を省略する。
【００４６】
押圧検出部２０は、背面タッチセンサ１３に対してユーザが操作を行う際の押圧を検出し、押圧に基づくデータを制御部１４に出力する。押圧検出部２０は、例えば、押圧に応じて物理的または電気的な特性（歪み、抵抗、電圧等）が変化する歪みゲージセンサや圧電素子等を用いて構成される。押圧検出部２０が、例えば圧電素子を用いて構成された場合、押圧検出部２０の圧電素子は、背面タッチセンサ１３に対する押圧による荷重（力）の大きさ（または、荷重の大きさが変化する速さ（加速度））に応じて、電気的な特性である電圧値（押圧に基づくデータ）が変化する。なお、押圧に基づくデータは、電圧値の代わりに、押圧による荷重の大きさ、電力値、抵抗値等でもよい。
【００４７】
また、押圧検出部２０は、表面タッチセンサ１２に対してユーザが操作を行う際の押圧を同様にして検出してもよい。
【００４８】
制御部１４は、押圧検出部２０から背面タッチセンサ１３（および表面タッチセンサ１２）に対する押圧に基づくデータを取得する。そして、制御部１４は、押圧に基づくデータが、例えば所定の閾値以上である等、所定の基準を満たす場合に、所定の操作が行われたと判断し、操作内容に応じて例えばアプリケーションに基づく等して、所定の処理を行うように制御する。
【００４９】
また、押圧検出部２０は、接触検出方式に応じて構成することができる。例えば、接触検出方式が抵抗膜方式の場合には、接触面積の大きさに応じた抵抗の大きさを、タッチセンサのタッチ面に対する押圧の荷重に対応付けることにより、歪みゲージセンサや圧電素子等を用いることなく押圧検出部２０を構成することができる。あるいは、タッチセンサが静電容量方式の場合には、静電容量の大きさを、タッチセンサに対する押圧の荷重に対応付けることにより、歪みゲージセンサや圧電素子等を用いることなく構成することができる。
【００５０】
図８は、第２の実施形態に係る電子機器２の実装構造の一例を示す図である。図８（ａ）は正面図であり、図８（ｂ）は図８（ａ）におけるＡ−Ａ線に沿った断面図であり、図８（ｃ）は背面図である。図８は、図２に示した電子機器１の実装構造に対して、更に押圧検出部２０を構成する圧電素子２１〜２４を図示している。なお、圧電素子の個数や配置位置は、図示した例に限定されるものではない。
【００５１】
図８に示す例では、押圧検出部２０は、第１圧電素子２１、第２圧電素子２２、第３圧電素子２３、および第４圧電素子２４を有し、第１圧電素子２１および第２圧電素子２２により、背面タッチセンサ１３に対してユーザが操作を行う際の押圧を検出し、第３圧電素子２３および第４圧電素子２４により、表面タッチセンサ１２に対してユーザが操作を行う際の押圧を検出する。
【００５２】
なお、図８（ａ）において、表面タッチセンサ１２上において表示部１１による表示を透過させる必要がない領域、すなわち、表面タッチセンサ１２と表示部１１とが重ならない領域は、表面タッチセンサ１２の端辺付近の領域を塗装したりベゼルで覆ったりするのが好適である。このようにすれば、第３圧電素子２３および第４圧電素子２４等が電子機器１の外部から見えてしまうことを防ぐことができる。
【００５３】
次に、本発明に係る電子機器２による処理を説明する。図９は、第２の実施形態に係る電子機器２の処理を示すフローチャートである。
【００５４】
制御部１４は、表面タッチセンサ１２から入力される信号により表面タッチセンサ１２の所定の操作を検出すると（ステップＳ２０１−Ｙｅｓ）、押圧検出部２０から表面タッチセンサ１２に対する押圧に基づくデータを取得する（ステップＳ２０２）。そして、制御部１４は、取得した押圧に基づくデータが所定の閾値（基準）を満たしたか否かを判定し（ステップＳ２０３）、押圧に基づくデータが所定の閾値を満たした場合に（ステップＳ２０３−Ｙｅｓ）、表面タッチセンサ１２の押圧操作が行われたと判断し、押圧位置に表示されている操作用オブジェクトに応じた制御を行う（ステップＳ２０４）。ここで、押圧に基づくデータが所定の閾値を満たした際とは、押圧に基づくデータが所定の基準値に達した際であってもよいし、押圧に基づくデータが所定の基準値を超えた際でもよいし、所定の基準値と等しい押圧に基づくデータが検出された際でもよい。ステップＳ２０４による処理が、アプリケーションやメニュー等を終了させる処理であった場合には（ステップＳ２０５−Ｙｅｓ）、処理を終了して、例えば表示部１１にホーム画面（待ち受け画面）を表示させる。
【００５５】
また、制御部１４は、背面タッチセンサ１３から入力される信号により背面タッチセンサ１３の所定の操作を検出すると（ステップＳ２０６−Ｙｅｓ）、押圧検出部２０から背面タッチセンサ１３に対する押圧に基づくデータを取得する（ステップＳ２０７）。そして、制御部１４は、取得した押圧に基づくデータが所定の閾値（基準）を満たしたか否かを判定し（ステップＳ２０８）、押圧に基づくデータが所定の閾値以上を満たした場合に（ステップＳ２０８−Ｙｅｓ）、背面タッチセンサ１３の操作が行われたと判断し、表示部１１に表示中の画像に対して所定の処理を行う（ステップＳ２０９）。所定の処理については、第１の実施形態で説明した通りである。
【００５６】
上述したように、第２の実施形態に係る電子機器２は、押圧検出部２０を更に備え、制御部１４は、押圧に基づくデータが所定の閾値を満たした場合に、表示中の画面（画像）やオブジェクトに対して所定の処理を行う。そのため、電子機器２は、他の物体と軽く接触しただけでユーザによる操作が行われたと判断することを防止できる。特に、電子機器を保持する際には背面１０ｂに指が接触するが、押圧検出部２０によって押圧を検出することにより、ユーザが操作を意図していないのにもかかわらず背面タッチセンサ１３を操作したものと誤判断することを防止できる。
【００５７】
また、第２の実施形態に係る電子機器２では、制御部１４は、押圧検出部２０により検出される背面タッチセンサ１３に対する押圧に基づくデータが所定の閾値（基準）を満たすと、スクロールモードからポインタモードへ制御モードを切り替える構成とすることもできる。この場合、例えば、制御部１４は、背面タッチセンサ１３に対するタッチやタップ等の操作の圧力が一定値以上となったときに、その操作を切替え操作と判断して、スクロールモードからポインタモードへ制御モードを切り替える構成とすることができる。この構成により、背面タッチセンサ１３が切替え操作されたか否かを精度良く判断して、ユーザが制御モードの切り替えを意図していないのにもかかわらず背面タッチセンサ１３を切替え操作したものと誤判断して制御モードが切り替えられてしまうことを防止できる。
【００５８】
［第３の実施形態］
次に、本発明の第３の実施形態について説明する。図１０は、本発明の第３の実施形態に係る電子機器の概略構成を示すブロック図である。第３の実施形態に係る電子機器３は、第２の実施形態に係る電子機器２と比較して、更に触感呈示部３０を備える。その他の構成については第２の実施形態と同一であるため、同一の参照番号を付して説明を省略する。
【００５９】
触感呈示部３０は、制御部１４から供給される駆動信号に基づいて所定の振動を発生する。駆動信号については、表現したいリアルなボタンが挙動する振動を、指が接触する位置において表現する駆動信号であればよい。
【００６０】
触感呈示部３０は、圧電素子、超音波振動子、または振動モータ（偏心モータ）等を用いて構成され、所定の振動パターンによる振動を発生させることにより、背面タッチセンサ１３を押圧しているユーザの指に対して触感を呈示し、ユーザに背面タッチセンサ１３を操作したことを感覚的に通知する。触感呈示部３０は、機械的な振動を使わずに、背面タッチセンサ１３上に貼ったフィルムの電荷を制御する等により、背面タッチセンサ１３を押圧しているユーザの指に対して触感を呈示してもよい。
【００６１】
また、触感呈示部３０は、表面タッチセンサ１２に対しても、同様にして振動を発生させて、表面タッチセンサ１２を押圧しているユーザの指に対して触感を呈示するようにしてもよい。
【００６２】
なお、触感呈示部３０は、押圧検出部２０と一体化して構成することもできる。特に、圧電素子を用いて押圧検出部２０および触感呈示部３０を構成する場合は、圧電素子を共用することもできる。圧電素子は、圧力が加わると電圧を発生し、電圧が加えられると変形するためである。この場合の実装構造例は、図８に示した通りである。
【００６３】
圧電素子を用いて押圧検出部２０および触感呈示部３０を構成する場合、制御部１４は、圧電素子の電圧値が所定の閾値を満たした際に、所定の処理を行うとともに、該圧電素子を駆動することにより振動を発生させるようにしてもよい。ここで、圧電素子の電圧値が所定の閾値を満たした際とは、電圧値が所定の基準値に達した際であってもよいし、電圧値が所定の基準値を超えた際でもよいし、所定の基準値と等しい電圧値が検出された際でもよい。
【００６４】
上述したように、第３の実施形態に係る電子機器３は、触感呈示部３０を更に備え、制御部１４から供給される駆動信号に基づいて所定の振動を発生する。そのため、電子機器３は、ユーザが背面タッチセンサ１３（および表面タッチセンサ１２）を操作した際に、意図した操作が行われたことを感覚的にユーザに通知することができる。
【００６５】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態に記載の複数の構成ブロックを１つに組み合わせたり、あるいは１つの構成ブロックを分割したりすることが可能である。
【符号の説明】
【００６６】
１，２，３  電子機器
１１        表示部
１２        表面タッチセンサ
１３        背面タッチセンサ
１４        制御部
１５        記憶部
１６        通信部
１７        マイク
１８        スピーカ
２０        押圧検出部
２１        第１圧電素子
２２        第２圧電素子
２３        第３圧電素子
２４        第４圧電素子
３０        触感呈示部
４０        接合部材
Ｐ        ポインタ
【図１】
2015106165.tif 000003
【図２】
2015106165.tif 000004
【図３】
2015106165.tif 000005
【図４】
2015106165.tif 000006
【図５】
2015106165.tif 000007
【図６】
2015106165.tif 000008
【図７】
2015106165.tif 000009
【図８】
2015106165.tif 000010
【図９】
2015106165.tif 000011
【図１０】
2015106165.tif 000012